(57)【要約】【課題】テキストの表示状態からであっても、以前に単語帳登録した単語の説明情報を容易に表示させる。【解決手段】電子辞書1は、辞書DB820と、見出し語の説明情報を当該辞書DB820から検索して表示させるＣＰＵ20と、学習対象の単語を含む情報を記憶するテーブル840〜842とを備える。ＣＰＵ20は、テーブル840〜842に記憶された単語が表示される場合に、当該単語をテキスト内で識別表示させ、この単語に対するユーザからの所定操作に応じて、当該単語の記憶されたテーブル840〜842に対応する学習支援機能を実行する。テーブル840〜842は単語帳テーブル840を有し、学習支援機能は、単語帳テーブル840に記憶された単語のうち、ユーザ操作に基づいて指定される単語の説明情報を辞書DB820から読み出して表示させる機能を有する。【選択図】図10
2011123313.tif 000002
【特許請求の範囲】
【請求項１】
表示手段と、
各見出し語に対し、テキストを含む説明情報を対応付けてなる辞書情報を記憶する辞書記憶手段と、
前記辞書情報における見出し語のうち、ユーザ操作に基づいて指定される見出し語の説明情報を当該辞書情報から検索して前記表示手段に表示させる説明情報表示制御手段と、
ユーザによる学習対象の単語を含む情報を、ユーザ操作に基づいて記憶する複数種類の学習用情報記憶手段と、
前記複数種類の学習用情報記憶手段の何れかに対応付けられるとともに、対応する前記学習用情報記憶手段により記憶された情報をユーザ操作に基づいて前記表示手段に表示させ、ユーザによる前記学習対象の単語の学習を支援する複数種類の学習支援手段と、
前記学習用情報記憶手段に記憶された前記学習対象の単語が前記表示手段に表示される場合に、当該単語をテキスト内で識別表示させる登録済み単語識別表示制御手段と、
前記登録済み単語識別表示制御手段により識別表示された単語に対するユーザからの所定操作に応じて、この単語の記憶された前記学習用情報記憶手段に対応する前記学習支援手段を実行させる学習支援機能制御手段と、
を備え、
前記複数種類の学習用情報記憶手段は、
前記説明情報表示制御手段により説明情報の表示された見出し語の単語をユーザ操作に基づいて蓄積記憶する単語帳登録手段を少なくとも有し、
前記複数種類の学習支援手段は、
前記単語帳登録手段に記憶された単語のうち、ユーザ操作に基づいて指定される単語の説明情報を前記辞書情報から読み出して前記表示手段に表示させる単語帳説明情報表示制御手段を少なくとも有することを特徴とする電子機器。
【請求項２】
請求項１記載の電子機器において、
前記表示手段の表示画面は、タッチパネルと一体的に形成されており、
前記所定操作は、
前記登録済み単語識別表示制御手段により識別表示された前記学習対象の単語に対するユーザからのダブルタップ操作であることを特徴とする電子機器。
【請求項３】
請求項１または２記載の電子機器において、
前記表示手段の表示画面は、タッチパネルと一体的に形成されており、
前記複数種類の学習用情報記憶手段は、
前記説明情報表示制御手段により説明情報の表示された見出し語の単語と、この単語についてのメモとしてユーザにより前記タッチパネルから手書き入力される手書き画像とを対応付け、ユーザ操作に基づいて蓄積記憶する見出しメモ登録手段を有し、
前記複数種類の学習支援手段は、
前記見出しメモ登録手段に記憶された単語のうち、ユーザ操作に基づいて指定される単語に当該見出しメモ登録手段で対応付けられた前記手書き画像を前記表示手段に表示させる見出しメモ表示制御手段を有することを特徴とする電子機器。
【請求項４】
請求項１〜３の何れか一項に記載の電子機器において、
前記表示手段の表示画面は、タッチパネルと一体的に形成されており、
前記複数種類の学習用情報記憶手段は、
前記説明情報表示制御手段により説明情報の表示された見出し語の単語と、この単語についての暗記カードにおける各面の内容としてユーザにより前記タッチパネルから手書き入力される２つの手書き画像とを対応付け、ユーザ操作に基づいて蓄積記憶する暗記カード登録手段を有し、
前記複数種類の学習支援手段は、
前記暗記カード登録手段に記憶された単語のうち、ユーザ操作に基づいて指定される単語に当該暗記カード登録手段で対応付けられた前記２つの手書き画像を前記表示手段に表示させる暗記カード表示制御手段を有することを特徴とする電子機器。
【請求項５】
請求項３または４記載の電子機器において、
前記登録済み単語識別表示制御手段は、
前記学習用情報記憶手段に記憶された単語を、当該学習用情報記憶手段の種類によって異なるマーカ色でそれぞれ識別表示することを特徴とする電子機器。
【請求項６】
請求項５記載の電子機器において、
前記学習支援機能制御手段は、
同一の単語が複数種類の前記学習用情報記憶手段によってそれぞれ記憶されている場合に、実行させる前記学習支援手段の種類をユーザ操作に応じて切り替える切替手段を有することを特徴とする電子機器。
【請求項７】
表示手段を有するコンピュータに、
各見出し語に対し、テキストを含む説明情報を対応付けてなる辞書情報を記憶する辞書記憶機能と、
前記辞書情報における見出し語のうち、ユーザ操作に基づいて指定される見出し語の説明情報を当該辞書情報から検索して前記表示手段に表示させる説明情報表示制御機能と、
ユーザによる学習対象の単語を含む情報を、ユーザ操作に基づいて記憶する複数種類の学習用情報記憶機能と、
前記複数種類の学習用情報記憶機能の何れかに対応付けられるとともに、対応する前記学習用情報記憶機能により記憶された情報をユーザ操作に基づいて前記表示手段に表示させ、ユーザによる前記学習対象の単語の学習を支援する複数種類の学習支援機能と、
前記学習用情報記憶機能によって記憶された前記学習対象の単語が前記表示手段に表示される場合に、当該単語をテキスト内で識別表示させる登録済み単語識別表示制御機能と、
前記登録済み単語識別表示制御機能により識別表示された単語に対するユーザからの所定操作に応じて、この単語の記憶された前記学習用情報記憶機能に対応する前記学習支援機能を実行させる学習支援機能制御機能と、
を実現させ、
前記複数種類の学習用情報記憶機能は、
前記説明情報表示制御機能により説明情報の表示された見出し語の単語をユーザ操作に基づいて蓄積記憶する単語帳登録機能を少なくとも有し、
前記複数種類の学習支援機能は、
前記単語帳登録機能によって記憶された単語のうち、ユーザ操作に基づいて指定される単語の説明情報を前記辞書情報から読み出して前記表示手段に表示させる単語帳説明情報表示制御機能を少なくとも有することを特徴とする情報表示プログラム。
【発明の詳細な説明】
【技術分野】
【０００１】
本発明は、電子機器及び情報表示プログラムに関する。
【背景技術】
【０００２】
従来から、辞書機能を有する電子辞書などの電子機器においては、各見出し語と、見出し語の説明情報とを対応付けて記憶する辞書データベースが備えられており、入力された文字に対応する見出し語の説明情報を辞書データベースから読み出して、見出し語と説明情報とを表示させるようになっている。
【０００３】
このような電子機器として、いわゆる単語帳機能を備えたものがある。単語帳機能とは、説明情報の表示された単語（見出し語）を、ユーザ操作に基づいて検索元の辞書データベースの種類別に登録しておき、復習を容易化する機能である（例えば、特許文献１参照）。
【０００４】
ところで、上記の単語帳機能においては、一般に、覚えたい単語や良く見る単語を登録しておき、後で復習するという使用方法が想定されている。そのため、単語帳登録されている単語の説明情報を表示させるためには、まず単語帳の表示モードを起動して単語帳の種類（辞書データベースの種類）を一覧表示させ、次に、何れかの単語帳を選択して当該単語帳における登録単語を一覧表示させ、最後に、所望の単語を選択して、その説明情報を表示させる、という複数の操作を行わせるようになっている。
【先行技術文献】
【特許文献】
【０００５】
【特許文献１】特開２００７‐１４８９９０号公報
【発明の概要】
【発明が解決しようとする課題】
【０００６】
しかしながら、上記のような操作手順でしか登録単語の説明情報を見ることができない従来の電子機器では、テキストの表示状態から、以前に単語帳登録した単語の説明情報を容易に表示させることはできない。例えば、ユーザが或る見出し語の説明情報を見ていて、以前に単語帳登録した覚えのある単語を発見し、この単語の意味を確認しようとする場合には、単語帳の表示モードを起動して上記の操作を行う必要があり、操作に手間が掛かってしまう。また、単語帳の表示モードを起動すると、表示対象が辞書データベースから単語帳に一旦切り替わってしまい、元の辞書データベースの説明情報に表示を戻すことができなくなってしまう。
【０００７】
一方、このような問題を解決する手法として、いわゆるジャンプ検索を行うことも考えられるが、この場合には、検索したい単語（ジャンプ対象単語）に対応する見出し語の候補が複数検索されてしまい、これらの候補から所望の見出し語を選択して説明情報を表示させる必要があるため、やはり操作に手間がかかってしまう。
【０００８】
本発明の課題は、テキストの表示状態からであっても、以前に単語帳登録した単語の説明情報を容易に表示させることのできる電子機器及び情報表示プログラムを提供することである。
【課題を解決するための手段】
【０００９】
請求項１記載の発明は、電子機器において、
表示手段と、
各見出し語に対し、テキストを含む説明情報を対応付けてなる辞書情報を記憶する辞書記憶手段と、
前記辞書情報における見出し語のうち、ユーザ操作に基づいて指定される見出し語の説明情報を当該辞書情報から検索して前記表示手段に表示させる説明情報表示制御手段と、
ユーザによる学習対象の単語を含む情報を、ユーザ操作に基づいて記憶する複数種類の学習用情報記憶手段と、
前記複数種類の学習用情報記憶手段の何れかに対応付けられるとともに、対応する前記学習用情報記憶手段により記憶された情報をユーザ操作に基づいて前記表示手段に表示させ、ユーザによる前記学習対象の単語の学習を支援する複数種類の学習支援手段と、
前記学習用情報記憶手段に記憶された前記学習対象の単語が前記表示手段に表示される場合に、当該単語をテキスト内で識別表示させる登録済み単語識別表示制御手段と、
前記登録済み単語識別表示制御手段により識別表示された単語に対するユーザからの所定操作に応じて、この単語の記憶された前記学習用情報記憶手段に対応する前記学習支援手段を実行させる学習支援機能制御手段と、
を備え、
前記複数種類の学習用情報記憶手段は、
前記説明情報表示制御手段により説明情報の表示された見出し語の単語をユーザ操作に基づいて蓄積記憶する単語帳登録手段を少なくとも有し、
前記複数種類の学習支援手段は、
前記単語帳登録手段に記憶された単語のうち、ユーザ操作に基づいて指定される単語の説明情報を前記辞書情報から読み出して前記表示手段に表示させる単語帳説明情報表示制御手段を少なくとも有することを特徴とする。
【００１０】
請求項２記載の発明は、請求項１記載の電子機器において、
前記表示手段の表示画面は、タッチパネルと一体的に形成されており、
前記所定操作は、
前記登録済み単語識別表示制御手段により識別表示された前記学習対象の単語に対するユーザからのダブルタップ操作であることを特徴とする。
【００１１】
請求項３記載の発明は、請求項１または２記載の電子機器において、
前記表示手段の表示画面は、タッチパネルと一体的に形成されており、
前記複数種類の学習用情報記憶手段は、
前記説明情報表示制御手段により説明情報の表示された見出し語の単語と、この単語についてのメモとしてユーザにより前記タッチパネルから手書き入力される手書き画像とを対応付け、ユーザ操作に基づいて蓄積記憶する見出しメモ登録手段を有し、
前記複数種類の学習支援手段は、
前記見出しメモ登録手段に記憶された単語のうち、ユーザ操作に基づいて指定される単語に当該見出しメモ登録手段で対応付けられた前記手書き画像を前記表示手段に表示させる見出しメモ表示制御手段を有することを特徴とする。
【００１２】
請求項４記載の発明は、請求項１〜３の何れか一項に記載の電子機器において、
前記表示手段の表示画面は、タッチパネルと一体的に形成されており、
前記複数種類の学習用情報記憶手段は、
前記説明情報表示制御手段により説明情報の表示された見出し語の単語と、この単語についての暗記カードにおける各面の内容としてユーザにより前記タッチパネルから手書き入力される２つの手書き画像とを対応付け、ユーザ操作に基づいて蓄積記憶する暗記カード登録手段を有し、
前記複数種類の学習支援手段は、
前記暗記カード登録手段に記憶された単語のうち、ユーザ操作に基づいて指定される単語に当該暗記カード登録手段で対応付けられた前記２つの手書き画像を前記表示手段に表示させる暗記カード表示制御手段を有することを特徴とする。
【００１３】
請求項５記載の発明は、請求項３または４記載の電子機器において、
前記登録済み単語識別表示制御手段は、
前記学習用情報記憶手段に記憶された単語を、当該学習用情報記憶手段の種類によって異なるマーカ色でそれぞれ識別表示することを特徴とする。
【００１４】
請求項６記載の発明は、請求項５記載の電子機器において、
前記学習支援機能制御手段は、
同一の単語が複数種類の前記学習用情報記憶手段によってそれぞれ記憶されている場合に、実行させる前記学習支援手段の種類をユーザ操作に応じて切り替える切替手段を有することを特徴とする。
【００１５】
請求項７記載の発明は、情報表示プログラムにおいて、
表示手段を有するコンピュータに、
各見出し語に対し、テキストを含む説明情報を対応付けてなる辞書情報を記憶する辞書記憶機能と、
前記辞書情報における見出し語のうち、ユーザ操作に基づいて指定される見出し語の説明情報を当該辞書情報から検索して前記表示手段に表示させる説明情報表示制御機能と、
ユーザによる学習対象の単語を含む情報を、ユーザ操作に基づいて記憶する複数種類の学習用情報記憶機能と、
前記複数種類の学習用情報記憶機能の何れかに対応付けられるとともに、対応する前記学習用情報記憶機能により記憶された情報をユーザ操作に基づいて前記表示手段に表示させ、ユーザによる前記学習対象の単語の学習を支援する複数種類の学習支援機能と、
前記学習用情報記憶機能によって記憶された前記学習対象の単語が前記表示手段に表示される場合に、当該単語をテキスト内で識別表示させる登録済み単語識別表示制御機能と、
前記登録済み単語識別表示制御機能により識別表示された単語に対するユーザからの所定操作に応じて、この単語の記憶された前記学習用情報記憶機能に対応する前記学習支援機能を実行させる学習支援機能制御機能と、
を実現させ、
前記複数種類の学習用情報記憶機能は、
前記説明情報表示制御機能により説明情報の表示された見出し語の単語をユーザ操作に基づいて蓄積記憶する単語帳登録機能を少なくとも有し、
前記複数種類の学習支援機能は、
前記単語帳登録機能によって記憶された単語のうち、ユーザ操作に基づいて指定される単語の説明情報を前記辞書情報から読み出して前記表示手段に表示させる単語帳説明情報表示制御機能を少なくとも有することを特徴とする。
【発明の効果】
【００１６】
本発明によれば、ユーザによる学習対象の単語を含む情報がユーザ操作に基づいて複数種類の学習用情報記憶手段に記憶され、学習用情報記憶手段により記憶された情報が複数種類の学習支援手段のうち、当該学習用情報記憶手段に対応する学習支援手段により表示されて学習を支援するようになっており、学習用情報記憶手段に記憶された学習対象の単語が表示される場合には、当該単語がテキスト内で識別表示され、識別表示された単語に対してユーザから所定操作が行われると、この操作に応じて、当該単語の記憶された学習用情報記憶手段に対応する学習支援手段が実行されるので、識別表示された単語に対して所定操作を行うことにより、当該単語を記憶する学習用情報記憶手段に対応する学習支援手段を実行させることができる。そして、複数種類の学習用情報記憶手段には、説明情報の表示された見出し語の単語をユーザ操作に基づいて蓄積記憶する単語帳登録手段が少なくとも含まれ、複数種類の学習支援手段には、単語帳登録手段に記憶された単語のうち、ユーザ操作に基づいて指定される単語の説明情報を辞書情報から読み出して表示させる単語帳説明情報表示制御手段が少なくとも含まれるので、以前に単語帳登録した単語は表示テキスト中で識別表示され、この単語に対して所定操作を行うと当該単語の説明情報が表示される。従って、従来と比較して、テキストの表示状態からであっても、以前に単語帳登録した単語の説明情報を容易に表示させることができる。
【図面の簡単な説明】
【００１７】
【図１】電子辞書の概観を示す平面図である。
【図２】電子辞書の内部構成を示すブロック図である。
【図３】辞書データベースのデータ構造を示す図である。
【図４】（ａ）は単語帳テーブルのデータ構造を示す図であり、（ｂ）は見出しメモテーブルのデータ構造を示す図であり、（ｃ）は暗記カードテーブルのデータ構造を示す図である。
【図５】辞書検索処理を示すフローチャートである。
【図６】辞書情報表示処理を示すフローチャートである。
【図７】学習データの登録処理を示すフローチャートである。
【図８】ダイレクトジャンプ処理を示すフローチャートである。
【図９】複数色でマーキングされた単語に対してスクラッチ操作が行われた状態を示す図である。
【図１０】表示部の表示内容を示す図である。
【図１１】表示部の表示内容を示す図である。
【発明を実施するための形態】
【００１８】
以下、図面を参照して、本発明に係る電子機器を電子辞書に適用した場合の実施形態について詳細に説明する。
【００１９】
［外観構成］
図１は、電子辞書１の平面図である。
この図に示すように、電子辞書１は、メインディスプレイ１０、サブディスプレイ１１及びキー群２を備えている。
【００２０】
メインディスプレイ１０及びサブディスプレイ１１は、ユーザによるキー群２の操作に応じた文字や符号等、各種データを表示する部分であり、ＬＣＤ（Liquid Crystal Display）やＥＬＤ（Electronic Luminescence Display）等によって構成されている。なお、本実施の形態におけるメインディスプレイ１０及びサブディスプレイ１１は、いわゆるタッチパネル１１０（図２参照）と一体的に形成されており、手書き入力等の操作を受け付け可能となっている。
【００２１】
キー群２は、ユーザから電子辞書１を操作するための操作を受ける各種キーを有している。具体的には、キー群２は、訳／決定キー２ｂと、文字キー２ｃと、辞書選択キー２ｄと、カーソルキー２ｅと、シフトキー２ｆと、戻るキー２ｇと、ジャンプキー２ｈと、単語帳キー２ｉと、見出しメモ表示キー２ｊと、暗記カード表示キー２ｋ等とを有している。
【００２２】
訳／決定キー２ｂは、検索の実行や、見出し語の決定等に使用されるキーである。文字キー２ｃは、ユーザによる文字の入力等に使用されるキーであり、本実施の形態においては“Ａ”〜“Ｚ”キーを備えている。辞書選択キー２ｄは、後述の辞書データベース８２０，…（図２参照）の選択に使用されるキーである。
【００２３】
カーソルキー２ｅは、画面内の反転表示位置、つまりカーソル位置の移動等に使用されるキーであり、本実施の形態においては上下左右の方向を指定可能となっている。シフトキー２ｆは、日本語の単語を検索対象に設定するとき等に使用されるキーである。戻るキー２ｇは、前回表示した画面に戻るとき等に使用されるキーである。
【００２４】
ジャンプキー２ｈは、ジャンプ機能を起動するときに使用されるキーである。なお、ジャンプ機能とは、説明情報が表示されている際に当該説明情報中の単語（以下、ジャンプ対象単語とする）をユーザが選択すると、そのジャンプ対象単語に対応する見出し語がジャンプ先、つまり再検索先の辞書で再度検索される機能のことである。
【００２５】
単語帳キー２ｉは、後述の単語帳テーブル８４０（図２，図４（ａ）参照）に登録された単語を一覧表示させるときに使用されるキーである。なお、本実施の形態においては、単語帳キー２ｉを操作して一覧表示された単語の何れかがユーザから指定されると、この単語に単語帳テーブル８４０で対応付けられた辞書データベース８２０から、当該単語の説明情報が読み出されて表示されるようになっている。
【００２６】
見出しメモ表示キー２ｊは、後述の見出しメモテーブル８４１（図２，図４（ｂ）参照）に登録されたポインタで示されるメモ画像を一覧表示させるときに使用されるキーである。なお、本実施の形態においては、見出しメモ表示キー２ｊを操作して一覧表示されたメモ画像の何れかがユーザから指定されると、このメモ画像に見出しメモテーブル８４１で対応付けられた単語及び辞書データベース８２０が検出され、当該辞書データベース８２０から当該単語の説明情報が読み出されて表示されるようになっている。但し、見出しメモ表示キー２ｊが操作されると見出しメモテーブル８４１の登録単語が一覧表示され、何れかの登録単語が指定されると見出しメモテーブル８４１内で対応付けられたメモ画像が表示されることとしても良い。
【００２７】
暗記カード表示キー２ｋは、後述の暗記カードテーブル８４２（図２，図４（ｃ）参照）に登録されたポインタで示される暗記カード画像を一覧表示させるときに使用されるキーである。なお、本実施の形態においては、暗記カード表示キー２ｋを操作して一覧表示された暗記カード画像の何れかがユーザから指定されると、この暗記カード画像に暗記カードテーブル８４２で対応付けられた単語及び辞書データベース８２０が検出され、当該辞書データベース８２０から当該単語の説明情報が読み出されて表示されるようになっている。但し、暗記カード表示キー２ｋが操作されると暗記カードテーブル８４２の登録単語が一覧表示され、何れかの登録単語が指定されると暗記カードテーブル８４２内で対応付けられた暗記カード画像が表示されることとしても良い。
【００２８】
［内部構成］
続いて、電子辞書１の内部構造について説明する。図２は、電子辞書１の内部構成を示すブロック図である。
【００２９】
この図に示すように、電子辞書１は、表示部４０、入力部３０、ＣＰＵ（Central Processing Unit）２０、フラッシュＲＯＭ（Read Only Memory）８０、ＲＡＭ（Random Access Memory）９０を備え、各部はバス１００で相互にデータ通信可能に接続されて構成されている。
【００３０】
表示部４０は、上述のメインディスプレイ１０及びサブディスプレイ１１を備えており、ＣＰＵ２０から入力される表示信号に基づいて各種情報をメインディスプレイ１０やサブディスプレイ１１に表示するようになっている。
【００３１】
入力部３０は、上述のキー群２やタッチパネル１１０を備えており、押下されたキーやタッチパネル１１０の位置に対応する信号をＣＰＵ２０に出力するようになっている。
【００３２】
ＣＰＵ２０は、入力される指示に応じて所定のプログラムに基づいた処理を実行し、各機能部への指示やデータの転送等を行い、電子辞書１を統括的に制御するようになっている。具体的には、ＣＰＵ２０は、入力部３０から入力される操作信号等に応じてフラッシュＲＯＭ８０に格納された各種プログラムを読み出し、当該プログラムに従って処理を実行する。そして、ＣＰＵ２０は、処理結果をＲＡＭ９０に保存するとともに、当該処理結果を表示部４０に適宜出力させる。
【００３３】
ここで、本実施の形態におけるＣＰＵ２０は、フラッシュＲＯＭ８０内の各種プログラムに基づいて、ユーザによる単語の学習を支援する複数の学習支援機能を実行するようになっており、より具体的には、単語帳説明情報表示機能、見出しメモ表示機能及び暗記カード表示機能などを実行するようになっている。
【００３４】
単語帳説明情報表示機能とは、後述の単語帳テーブル８４０（図２，図４（ａ）参照）に登録された単語のうち、ユーザ操作に基づいて指定される単語の説明情報を、当該単語に単語帳テーブル８４０で対応付けられた辞書データベース８２０から読み出して表示させる機能である。
【００３５】
見出しメモ表示機能とは、後述の見出しメモテーブル８４１（図２，図４（ｂ）参照）に登録された単語のうち、ユーザ操作に基づいて指定される単語に当該見出しメモテーブル８４１で対応付けられたメモの画像を表示させる機能である。
【００３６】
暗記カード表示機能とは、暗記カードテーブル８４２（図２，図４（ｃ）参照）に登録された単語のうち、ユーザ操作に基づいて指定される単語に当該暗記カードテーブル８４２で対応付けられた暗記カードの画像を表示させる機能である。
【００３７】
フラッシュＲＯＭ８０は、電子辞書１の各種機能を実現するためのプログラムやデータを記憶するメモリである。本実施の形態においては、フラッシュＲＯＭ８０は、本発明に係る情報表示プログラム８１と、辞書データベース群８２と、手書き画像テーブル８３と、学習用情報記憶テーブル群８４等とを記憶している。
【００３８】
情報表示プログラム８１は、後述の辞書検索処理（図５〜図８参照）をＣＰＵ２０に実行させるためのプログラムである。
【００３９】
辞書データベース群８２は、複数の辞書データベース８２０，…を有しており、本実施の形態においては、「英和辞典」の辞書データベース８２０ａや「現代英英辞典」の辞書データベース８２０ｂ等を有している。これら辞書データベース８２０，…には、例えば図３に１例を示すように、見出し語と、この見出し語の意味内容のテキストを含む説明情報と、見出し語のデータ番号等とが対応付けされて複数格納されている。なお、本実施の形態における各辞書データベース８２０には、辞書名を表す識別番号が付けられている（図４など参照）。
【００４０】
手書き画像テーブル８３は、見出しメモや暗記カードの内容としてタッチパネル１１０から入力された手書き画像を複数記憶するものであり、より詳細には、各手書き画像を識別番号に対応付けて記憶するようになっている。
【００４１】
学習用情報記憶テーブル群８４は、学習対象の単語を含む学習用情報を記憶する学習用情報記憶テーブルとして、単語帳テーブル８４０と、見出しメモテーブル８４１と、暗記カードテーブル８４２とを有している。
【００４２】
単語帳テーブル８４０は、図４（ａ）に示すように、後述の辞書検索処理（図５〜図８参照）において説明情報が表示された後、学習対象の単語としてユーザから登録操作をされた見出し語と、出典元の辞書データベース８２０の辞書名（辞書番号）と、この辞書データベース８２０における当該見出し語のデータ番号とを対応付けて蓄積記憶するようになっている。
【００４３】
見出しメモテーブル８４１は、図４（ｂ）に示すように、後述の辞書検索処理（図５〜図８参照）において説明情報が表示された後、学習対象の単語としてユーザから登録操作をされた見出し語と、出典元の辞書データベース８２０の辞書名（辞書番号）と、この辞書データベース８２０における当該見出し語のデータ番号と、当該見出し語についてのメモとして手書き画像テーブル８３に格納された手書き画像に対するポインタとを対応付けて蓄積記憶するようになっている。
【００４４】
暗記カードテーブル８４２は、図４（ｃ）に示すように、後述の辞書検索処理（図５〜図８参照）において説明情報が表示された後、学習対象の単語としてユーザから登録操作をされた見出し語と、出典元の辞書データベース８２０の辞書名（辞書番号）と、この辞書データベース８２０における当該見出し語のデータ番号と、当該見出し語についての暗記カードの各面の内容として手書き画像テーブル８３に格納された２つの手書き画像に対するポインタとを対応付けて蓄積記憶するようになっている。
【００４５】
ＲＡＭ９０は、ＣＰＵ２０が実行する各種プログラムや、これらプログラムの実行に係るデータ等を一時的に保持するメモリ領域を備えており、本実施の形態においては表示データ記憶領域９１を備えている。
【００４６】
この表示データ記憶領域９１は、メインディスプレイ１０に表示させるためのデータを一時的に保持するようになっている。
【００４７】
［動作］
続いて、電子辞書１の動作について、図５〜図８を参照しつつ説明する。
図５〜図８は、ＣＰＵ２０が情報表示プログラム８１を読み出して実行する辞書検索処理の流れを示すフローチャートである。
【００４８】
まず、図５に示すように、ユーザが入力部３０を介して何れかの辞書データベース８２０を検索対象の辞書データベース８２０（以下、選択辞書データベース８２０Ｓとする）として選択した後、検索語について検索文字列を入力すると（ステップＳ１）、ＣＰＵ２０は、選択辞書データベース８２０Ｓから検索文字列に対応する見出し語を検索し（ステップＳ２）、辞書情報表示処理を行う（ステップＳ３）。
【００４９】
具体的には、図６に示すように、この辞書情報表示処理においてまずＣＰＵ２０は、選択辞書データベース８２０Ｓから検索された見出し語の説明情報を読み出した後（ステップＴ１）、メインディスプレイ１０における表示領域の大きさに合わせて表示データを生成して表示データ記憶領域９１に格納するとともに、当該表示データをメインディスプレイ１０に表示させる（ステップＴ２）。これらステップＴ１〜Ｔ２により、辞書データベース８２０における見出し語のうち、ユーザ操作に基づいて指定される見出し語の説明情報が当該辞書データベース８２０から検索されてメインディスプレイ１０に表示される。なお、ステップＴ１において検索された見出し語が複数ある場合には、ＣＵＰ２０は、これらの見出し語をメインディスプレイ１０に一覧表示させて何れかの見出し語を選択させ、選択された見出し語の説明情報を読み出す。
【００５０】
次に、ＣＰＵ２０は、単語帳テーブル８４０に登録された単語を表示データ記憶領域９１における表示データ内で検索した後（ステップＴ３）、登録単語があるか否かを判定し（ステップＴ４）、登録単語がないと判定した場合（ステップＴ４；Ｎｏ）には、後述のステップＴ６に移行する。
【００５１】
また、ステップＴ４において単語帳テーブル８４０に登録された単語があると判定した場合（ステップＴ４；Ｙｅｓ）には、ＣＰＵ２０は、メインディスプレイ１０における当該登録単語を赤色でマーキングする（ステップＴ５）。
【００５２】
次に、ＣＰＵ２０は、見出しメモテーブル８４１に登録された単語を表示データ記憶領域９１における表示データ内で検索した後（ステップＴ６）、登録単語があるか否かを判定し（ステップＴ７）、登録単語がないと判定した場合（ステップＴ７；Ｎｏ）には、後述のステップＴ１１に移行する。
【００５３】
また、ステップＴ７において見出しメモテーブル８４１に登録された単語があると判定した場合（ステップＴ７；Ｙｅｓ）には、ＣＰＵ２０は、その単語が既にマーキングされているか否かを判定し（ステップＴ８）、マーキングされていないと判定した場合（ステップＴ８；Ｎｏ）には、メインディスプレイ１０における当該登録単語を青色でマーキングした後（ステップＴ９）、後述のステップＴ１１に移行する。
【００５４】
また、ステップＴ８において登録単語が既にマーキングされていると判定した場合（ステップＴ８；Ｙｅｓ）には、ＣＰＵ２０は、マーキング色に青色を追加する（ステップＴ１０）。具体的には、このステップＴ１０においてＣＰＵ２０は、既にマーキング色として用いられている色（ここでは赤色）によるマーキング領域を単語の下端部で狭め、この部分を追加のマーキング色（ここでは青色）でマーキングする（図９参照）。なお、本実施の形態においては、単語の上部のマーキング色は、後述のダイレクトジャンプ処理（図８参照）において実行される学習支援機能に対応しており、例えば単語の上部のマーキング色が赤色である場合には、ダイレクトジャンプ処理において単語帳説明情報表示機能が実行され、マーキング色が青色である場合には、ダイレクトジャンプ処理において見出しメモ表示機能が実行され、マーキング色が黄色である場合（後述のステップＴ１４参照）には、ダイレクトジャンプ処理で暗記カード表示機能が実行されるようになっている。
【００５５】
次に、ＣＰＵ２０は、暗記カードテーブル８４２に登録された単語を表示データ記憶領域９１における表示データ内で検索した後（ステップＴ１１）、登録単語があるか否かを判定し（ステップＴ１２）、登録単語がないと判定した場合（ステップＴ１２；Ｎｏ）には、辞書情報表示処理を終了する。
【００５６】
また、ステップＴ１２において暗記カードテーブル８４２に登録された単語があると判定した場合（ステップＴ１２；Ｙｅｓ）には、ＣＰＵ２０は、その単語が既にマーキングされているか否かを判定し（ステップＴ１３）、マーキングされていないと判定した場合（ステップＴ１３；Ｎｏ）には、メインディスプレイ１０における当該登録単語を黄色でマーキングした後（ステップＴ１４）、辞書情報表示処理を終了する。
【００５７】
また、ステップＴ１３において登録単語が既にマーキングされていると判定した場合（ステップＴ１３；Ｙｅｓ）には、ＣＰＵ２０は、マーキング色に黄色を追加し（ステップＴ１５）、辞書情報表示処理を終了する。具体的には、このステップＴ１５においてＣＰＵ２０は、既にマーキング色として用いられている色（ここでは赤色及び青色の少なくとも一方）によるマーキング領域を単語の下端部で狭め、この部分を追加のマーキング色（ここでは黄色）でマーキングする（図９参照）。
【００５８】
以上の辞書情報表示処理が終了したら、図５に示すように、ＣＰＵ２０は、カーソルキー２ｅを介してユーザによりスクロール操作が行われるか否かを判定する（ステップＳ４）。
【００５９】
このステップＳ４においてスクロール操作が行われたと判定した場合（ステップＳ４；Ｙｅｓ）には、ＣＰＵ２０は、スクロール方向に合わせて表示データを生成し直して表示データ記憶領域９１に格納して、当該表示データをメインディスプレイ１０に表示させるとともに、上記ステップＴ３〜Ｔ１５と同様の処理によって単語のマーク処理を行った後（ステップＳ５）、上述のステップＳ４に移行する。
【００６０】
また、ステップＳ４においてスクロール操作が行われないと判定した場合（ステップＳ４；Ｎｏ）には、ＣＰＵ２０は、見出し語の単語について学習用のデータを登録する旨の操作（以下、学習データ登録操作とする）がユーザにより行われるか否かを判定し（ステップＳ６）、行われたと判定した場合（ステップＳ６；Ｙｅｓ）には、学習データの登録処理を行う（ステップＳ７）。
【００６１】
具体的には、図７に示すように、この学習データの登録処理においてまずＣＰＵ２０は、単語帳テーブル８４０への登録操作が行われたか否かを判定し（ステップＵ１）、行われたと判定した場合（ステップＵ１；Ｙｅｓ）には、メインディスプレイ１０に説明情報の表示されている見出し語の単語と、選択辞書データベース８２０Ｓの辞書名と、この辞書データベース８２０における当該見出し語のデータ番号とを対応付けて単語帳テーブル８４０に蓄積記憶させた後（ステップＵ２）、学習データの登録処理を終了する。
【００６２】
また、ステップＵ１において単語帳テーブル８４０への登録操作が行われていないと判定した場合（ステップＵ１；Ｎｏ）には、ＣＰＵ２０は、見出しメモテーブル８４１への登録操作が行われたか否かを判定し（ステップＵ３）、行われたと判定した場合（ステップＵ３；Ｙｅｓ）には、サブディスプレイ１１に手書きメモの入力画面を表示させる（ステップＵ４）。
【００６３】
次に、ＣＰＵ２０は、メインディスプレイ１０に説明情報の表示されている見出し語についてのメモとして、手書き画像の入力を受け付け、入力された手書き画像と、見出し語の単語と、選択辞書データベース８２０Ｓの辞書名と、この辞書データベース８２０における当該見出し語のデータ番号とを対応付けて見出しメモテーブル８４１に蓄積記憶させた後（ステップＵ５）、学習データの登録処理を終了する。
【００６４】
また、ステップＵ３において見出しメモテーブル８４１への登録操作が行われていないと判定した場合（ステップＵ３；Ｎｏ）には、ＣＰＵ２０は、暗記カードテーブル８４２への登録操作が行われたか否かを判定し（ステップＵ６）、行われていないと判定した場合（ステップＵ６；Ｎｏ）には、学習データの登録処理を終了する。
【００６５】
また、ステップＵ６において暗記カードテーブル８４２への登録操作が行われたと判定した場合（ステップＵ６；Ｙｅｓ）には、ＣＰＵ２０は、サブディスプレイ１１に暗記カードの入力画面を表示させる（ステップＵ７）。
【００６６】
次に、ＣＰＵ２０は、メインディスプレイ１０に説明情報の表示されている見出し語についての暗記カードの各面の内容として、２つの手書き画像の入力を受け付け、入力された２つの手書き画像と、見出し語の単語と、選択辞書データベース８２０Ｓの辞書名と、この辞書データベース８２０における当該見出し語のデータ番号とを対応付けて暗記カードテーブル８４２に蓄積記憶させた後（ステップＵ８）、学習データの登録処理を終了する。
【００６７】
以上の学習データの登録処理が終了したら、図５に示すように、ＣＰＵ２０は、辞書検索処理を終了する。
【００６８】
また、上述のステップＳ６において学習データ登録操作が行われていないと判定した場合（ステップＳ６；Ｎｏ）には、ＣＰＵ２０は、マーキングされた単語についての登録内容に表示内容をジャンプ等させるための操作（以下、ダイレクトジャンプ操作とする）がユーザにより行われるか否かを判定し（ステップＳ８）、行われないと判定した場合（ステップＳ８；Ｎｏ）には、辞書検索処理を終了する。なお、本実施の形態においては、ダイレクトジャンプ操作として、単語に対するダブルタップ操作と、スクラッチ操作（擦り操作）とが用いられている。
【００６９】
また、ステップＳ８においてダイレクトジャンプ操作が行われたと判定した場合（ステップＳ８；Ｙｅｓ）には、ＣＰＵ２０は、ダイレクトジャンプ処理を行う（ステップＳ９）。
【００７０】
具体的には、図８に示すように、このダイレクトジャンプ処理においてまずＣＰＵ２０は、ダブルタップ操作がされたか否かを判定する（ステップＶ１）。
【００７１】
このステップＶ１においてダブルタップ操作がされたと判定した場合（ステップＶ１；Ｙｅｓ）には、ＣＰＵ２０は、操作対象の単語の上部が赤色でマーキングされているか否かを判定する（ステップＶ２）。
【００７２】
このステップＶ２において操作対象の単語の上部が赤色でマーキングされていると判定した場合（ステップＶ２；Ｙｅｓ）には、ＣＰＵ２０は、当該単語に対応付けて単語帳テーブル８４０に辞書名の記憶された辞書データベース８２０から、この単語の説明情報を読み出してメインディスプレイ１０に表示させた後、つまり、単語帳説明情報表示機能を実行した後（ステップＶ３）、ダイレクトジャンプ処理及び辞書検索処理を終了する（図５参照）。
【００７３】
また、ステップＶ２において操作対象の単語の上部が赤色でマーキングされていないと判定した場合（ステップＶ２；Ｎｏ）には、ＣＰＵ２０は、当該単語の上部が青色でマーキングされているか否かを判定する（ステップＶ４）。
【００７４】
このステップＶ４において操作対象の単語の上部が青色でマーキングされていると判定した場合（ステップＶ４；Ｙｅｓ）には、ＣＰＵ２０は、当該単語に対応付けて見出しメモテーブル８４１に記憶された手書き画像をメインディスプレイ１０に表示させた後、つまり、見出しメモ表示機能を実行した後（ステップＶ５）、ダイレクトジャンプ処理及び辞書検索処理を終了する（図５参照）。なお、本実施の形態においては、このステップＶ５においてＣＰＵ２０は、当該単語に対応付けて見出しメモテーブル８４１に辞書名の記憶された辞書データベース８２０から、この単語の説明情報を読み出してメインディスプレイ１０に併せて表示させるようになっている。
【００７５】
また、ステップＶ４において操作対象の単語の上部が青色でマーキングされていないと判定した場合（ステップＶ４；Ｎｏ）には、ＣＰＵ２０は、当該単語の上部が黄色でマーキングされているか否かを判定する（ステップＶ６）。
【００７６】
このステップＶ６において操作対象の単語の上部が黄色でマーキングされていると判定した場合（ステップＶ６；Ｙｅｓ）には、ＣＰＵ２０は、当該単語に対応付けて暗記カードテーブル８４２に記憶された２つの手書き画像をメインディスプレイ１０に並べて表示させた後、つまり、暗記カード表示機能を実行した後（ステップＶ７）、ダイレクトジャンプ処理及び辞書検索処理を終了する（図５参照）。なお、本実施の形態においては、このステップＶ７においてＣＰＵ２０は、当該単語に対応付けて暗記カードテーブル８４２に辞書名の記憶された辞書データベース８２０から、この単語の説明情報を読み出してメインディスプレイ１０に併せて表示させるようになっている。
【００７７】
また、上述のステップＶ１においてダブルタップ操作がされていないと判定した場合（ステップＶ１；Ｎｏ）には、ＣＰＵ２０は、単語に対するスクラッチ操作がされたか否かを判定し（ステップＶ１０）、されていないと判定した場合（ステップＶ１０；Ｎｏ）には、他の処理へ移行する。
【００７８】
また、ステップＶ１０においてスクラッチ操作がされたと判定した場合（ステップＶ１０；Ｙｅｓ）には、ＣＰＵ２０は、マーキング単語の位置でスクラッチ操作がされたか否かを判定し（ステップＶ１１）、マーキング単語の位置ではないと判定した場合（ステップＶ１１；Ｎｏ）には、処理を行わずに、ダイレクトジャンプ処理及び辞書検索処理を終了する。
【００７９】
また、ステップＶ１１においてマーキング単語の位置でスクラッチ操作がされたと判定した場合（ステップＶ１１；Ｙｅｓ）には、ＣＰＵ２０は、当該マーキング単語のマーキング色が複数であるか否かを判定する。そして、複数である場合、つまり当該マーキング単語が単語帳テーブル８４０、見出しメモテーブル８４１及び暗記カードテーブル８４２のうち、少なくとも２つに登録されている場合には、これらのマーキング色の中で単語の上部のマーキング色、つまり実行される学習支援機能（単語帳説明情報表示機能、見出しメモ表示機能及び暗記カード表示機能）を順に切り替えた後（ステップＶ１２）、上述のステップＶ１に移行する。これにより、例えば図９に示すように、スクラッチ操作される単語が上部から下端部に向かって赤色、青色、黄色の順にマーキングされている場合には、スクラッチ操作により青色、黄色、赤色の順に改めてマーキングされる。なお、スクラッチ操作された単語のマーキング色が複数ではない場合には、このステップＶ１２においてＣＰＵ２０は何も行わずに上述のステップＶ１に移行する。
【００８０】
（動作例）
続いて、図１０〜図１１を参照しつつ、上記の辞書検索処理を具体的に説明する。
【００８１】
まず、ユーザが「英和辞典」の辞書データベース８２０ａを選択して見出し語「necessary」を検索させ（ステップＳ２）、その説明情報を表示させた後（ステップＴ２）、単語帳テーブル８４０への登録操作を行うと（ステップＵ１；Ｙｅｓ）、図４（ａ）に示すように、見出し語の単語「necessary」と、選択辞書データベース８２０Ｓの辞書名「英和辞典」と、この辞書データベース８２０における当該見出し語のデータ番号「８８７」とが対応付けられて単語帳テーブル８４０に記憶される（ステップＵ２）。
【００８２】
同様に、ユーザが「英和辞典」の辞書データベース８２０ａを選択して見出し語「especially」を検索させ（ステップＳ２）、その説明情報を表示させた後（ステップＴ２）、見出しメモテーブル８４１への登録操作を行うと（ステップＵ３；Ｙｅｓ）、図４（ｂ）に示すように、見出し語の単語「especially」と、選択辞書データベース８２０Ｓの辞書名「英和辞典」と、この辞書データベース８２０における当該見出し語のデータ番号「３０６」とが対応付けられて見出しメモテーブル８４１に記憶される（ステップＵ５）。
【００８３】
同様に、ユーザが「英和辞典」の辞書データベース８２０ａを選択して見出し語「activity」を検索させ（ステップＳ２）、その説明情報を表示させた後（ステップＴ２）、暗記カードテーブル８４２への登録操作を行うと（ステップＵ６；Ｙｅｓ）、図４（ｃ）に示すように、見出し語の単語「activity」と、選択辞書データベース８２０Ｓの辞書名「英和辞典」と、この辞書データベース８２０における当該見出し語のデータ番号「２１」とが対応付けられて暗記カードテーブル８４２に記憶される（ステップＵ８）。
【００８４】
次に、ユーザが「現代英英辞典」の辞書データベース８２０ｂを選択して見出し語「involve」を検索させ（ステップＳ２）、その説明情報を表示させると（ステップＴ２）、図１０（ａ）に示すように、単語帳テーブル８４０に登録された単語「necessary」が表示データ内にあると判定され（ステップＴ４；Ｙｅｓ）、メインディスプレイ１０における当該登録単語「necessary」が赤色でマーキングされる（ステップＴ５）。また、見出しメモテーブル８４１に登録された単語「especially」が表示データ内にあると判定され（ステップＴ７；Ｙｅｓ）、メインディスプレイ１０における当該登録単語「especially」が青色でマーキングされる（ステップＴ９）。更に、暗記カードテーブル８４２に登録された単語「activity」が表示データ内にあると判定され（ステップＴ１２；Ｙｅｓ）、メインディスプレイ１０における当該登録単語「activity」が黄色でマーキングされる（ステップＴ１４）。
【００８５】
次に、ユーザがメインディスプレイ１０内の単語「necessary」に対するダブルタップ操作を行うと（ステップＳ８；Ｙｅｓ、ステップＶ１；Ｙｅｓ）、図１０（ｂ）に示すように、操作対象の単語「necessary」の上部が赤色でマーキングされていると判定され（ステップＶ２；Ｙｅｓ）、当該単語「necessary」に対応付けて単語帳テーブル８４０に辞書名「英和辞典」の記憶された辞書データベース８２０ａから、この単語「necessary」の説明情報が読み出されてメインディスプレイ１０に表示される（ステップＶ３）。
【００８６】
また、図１０（ａ）の状態からユーザがメインディスプレイ１０内の単語「especially」に対するダブルタップ操作を行うと（ステップＳ８；Ｙｅｓ、ステップＶ１；Ｙｅｓ）、図１１（ａ）に示すように、操作対象の単語「especially」の上部が青色でマーキングされていると判定され（ステップＶ４；Ｙｅｓ）、当該単語「especially」に対応付けて見出しメモテーブル８４１に記憶された手書き画像がメインディスプレイ１０に表示される（ステップＶ５）。また、このとき当該単語「especially」に対応付けて見出しメモテーブル８４１に辞書名「英和辞典」の記憶された辞書データベース８２０ａから、この単語「especially」の説明情報が読み出されてメインディスプレイ１０に表示される。
【００８７】
また、図１０（ａ）の状態からユーザがメインディスプレイ１０内の単語「activity」に対するダブルタップ操作を行うと（ステップＳ８；Ｙｅｓ、ステップＶ１；Ｙｅｓ）、図１１（ｂ）に示すように、操作対象の単語「activity」の上部が黄色でマーキングされていると判定され（ステップＶ６；Ｙｅｓ）、当該単語「activity」に対応付けて暗記カードテーブル８４２に記憶された２つの手書き画像がメインディスプレイ１０に表示される（ステップＶ７）。また、このとき当該単語「activity」に対応付けて暗記カードテーブル８４２に辞書名「英和辞典」の記憶された辞書データベース８２０ａから、この単語「activity」の説明情報が読み出されてメインディスプレイ１０に表示される。
【００８８】
以上の電子辞書１によれば、図６のステップＴ５，Ｔ９，Ｔ１４や図８のステップＶ３，Ｖ５，Ｖ７、図１０〜図１１等に示したように、学習用情報記憶テーブル群８４に記憶された単語が表示される場合には、当該単語がテキスト内で識別表示され、識別表示された単語に対してユーザからダブルタップ操作が行われると、この操作に応じて、当該単語の記憶されたテーブル８４０〜８４２に対応する学習支援機能が実行されるので、識別表示された単語に対してダブルタップ操作を行うことにより、当該単語を記憶するテーブル８４０〜８４２に対応する学習支援機能を実行させることができる。そして、学習用情報記憶テーブル群８４には単語帳テーブル８４０が含まれ、学習支援機能には、単語帳テーブル８４０に記憶された単語のうち、ユーザ操作に基づいて指定される単語の説明情報を辞書情報から読み出して表示させる単語帳説明情報表示制御機能が含まれるので、以前に単語帳登録した単語は表示テキスト中で識別表示され、この単語に対してダブルタップ操作を行うと当該単語の説明情報が表示される。従って、従来と比較して、テキストの表示状態からであっても、以前に単語帳登録した単語の説明情報を容易に表示させることができる。
【００８９】
また、図６のステップＴ９や図８のステップＶ５、図１１（ａ）等に示したように、学習用情報記憶テーブル群８４には見出しメモテーブル８４１が含まれ、学習支援機能には、見出しメモテーブル８４１に記憶された単語のうち、ユーザ操作に基づいて指定される単語に当該見出しメモテーブル８４１で対応付けられた手書き画像を表示させる見出しメモ表示制御機能が含まれるので、以前に手書きのメモを登録した単語は表示テキスト中で識別表示され、この単語に対してダブルタップ操作を行うと当該単語についての手書き画像のメモが表示される。従って、単語に対応付けて登録した手書きのメモを容易に表示させることができる。
【００９０】
また、図６のステップＴ１４や図８のステップＶ７、図１１（ｂ）等に示したように、学習用情報記憶テーブル群８４には暗記カードテーブル８４２が含まれ、学習支援機能には、暗記カードテーブル８４２に記憶された単語のうち、ユーザ操作に基づいて指定される単語に当該暗記カードテーブル８４２で対応付けられた２つの手書き画像を表示させる暗記カード表示制御機能が含まれるので、以前に手書きの暗記カードを登録した単語は表示テキスト中で識別表示され、この単語に対してダブルタップ操作を行うと当該単語についての手書きの暗記カードが表示される。従って、単語に対応付けて登録した暗記カードを容易に表示させることができる。
【００９１】
また、図６のステップＴ１０，Ｔ１５や図９等に示したように、学習用情報記憶テーブル群８４に記憶された単語が登録先のテーブル８４０〜８４２の種類によって異なるマーカ色でそれぞれ識別表示されるので、ダブルタップ操作を行うことで何れの種類の学習支援機能が実行されるのかを理解することができる。
【００９２】
また、図８のステップＶ１２や図９等に示したように、同一の単語が複数種類のテーブル８４０〜８４２によってそれぞれ記憶されている場合に、実行させる学習支援機能の種類がスクラッチ操作に応じて切り替えられるので、同一の単語を複数種類のテーブル８４０〜８４２にそれぞれ登録している場合であっても、所望の学習支援機能を実行させることができる。
【００９３】
なお、本発明を適用可能な実施形態は、上述した実施形態に限定されることなく、本発明の趣旨を逸脱しない範囲で適宜変更可能である。
【００９４】
例えば、本発明に係る電子機器を電子辞書１として説明したが、本発明が適用可能なものは、このような製品に限定されず、携帯電話、パソコン、ＰＤＡ（Ｐｅｒｓｏｎａｌ  Ｄｉｇｉｔａｌ  Ａｓｓｉｓｔａｎｔ）、ゲーム機などの電子機器全般に適用可能である。また、本発明に係る情報表示プログラム８１は、電子辞書１に対して着脱可能なメモリカード、ＣＤ等に記憶されることとしてもよい。
【００９５】
また、識別表示された単語に対してダブルタップ操作を行うことにより学習支援機能を実行させることとして説明したが、他の操作を行うことにより実行させることとしても良い。
【００９６】
また、辞書情報表示処理では辞書データベース８２０から読み出された説明情報を表示する場合に、登録単語をマーキングすることとして説明したが、テキストコンテンツから読み出されたテキストを表示する場合にマーキングすることとしても良い。
【符号の説明】
【００９７】
１      電子辞書
２０    ＣＰＵ
３０    入力部
４０    表示部
８１    情報表示プログラム
８２０  辞書データベース
【図１】
2011123313.tif 000003
【図２】
2011123313.tif 000004
【図３】
2011123313.tif 000005
【図４】
2011123313.tif 000006
【図５】
2011123313.tif 000007
【図６】
2011123313.tif 000008
【図７】
2011123313.tif 000009
【図８】
2011123313.tif 000010
【図９】
2011123313.tif 000011
【図１０】
2011123313.tif 000012
【図１１】
2011123313.tif 000013